(57)【要約】      （修正有）【課題】自分撮りの際に、鏡としての機能を有するとともに、他人から見た自分の容姿を表示等可能なテレビジョン受像機、携帯電話機、及び電子鏡を提供する。【解決手段】映像信号を出力するモニタ画面５と、このモニタ画面５の正面の領域を撮像して電気的な画像データを出力するＣＣＤ等のカメラ７と、前記各部を制御するＣＰＵ等の制御部と、この制御部に各種の指令を入力するリモコン装置とを備えたテレビジョン受像機において、制御部は、リモコン装置で入力された指令に基づいて、カメラ７によって撮像される画像を左右反転させてモニタ画面５にリアルタイムで出力させる鏡像モードと、カメラ７によって撮像される画像をそのままモニタ画面５にリアルタイムで出力させる正像モードとを切り替え可能に構成する。【選択図】図３
0003154529.tif 000002
【実用新案登録請求の範囲】
【請求項１】
映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えたテレビジョン受像機において、
前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴とするテレビジョン受像機。
【請求項２】
前記指令入力手段は、鏡像モードと正像モードとの切り替え指令を、リモートコントロール装置による遠隔操作で入力することを特徴とする請求項１に記載のテレビジョン受像機。
【請求項３】
前記撮像手段によって撮像される画像を画像処理してなる写真又は動画を電気通信回線を介して送信する画像送信手段を備え、
前記制御手段は、前記指令入力手段で入力された指令に基づいて、前記画像送信手段を介して、前記鏡像モードの写真又は動画と、前記正像モードの写真又は動画とを切り替えて送信可能であることを特徴とする請求項１又は請求項２に記載のテレビジョン受像機。
【請求項４】
映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えた携帯電話機において、
前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴とする携帯電話機。
【請求項５】
前記撮像手段によって撮像される画像を画像処理してなる写真又は動画を電気通信回線を介して送信する画像送信手段を備え、
前記制御手段は、前記指令入力手段で入力された指令に基づいて、前記画像送信手段を介して、前記鏡像モードの写真又は動画と、前記正像モードの写真又は動画とを切り替えて送信可能であることを特徴とする請求項４に記載の携帯電話機。
【請求項６】
映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えた電子鏡において、
前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴とする電子鏡。
【請求項７】
前記指令入力手段は、鏡像モードと正像モードとの切り替え指令を、リモートコントロール装置による遠隔操作で入力することを特徴とする請求項６に記載の電子鏡。
【請求項８】
前記撮像手段によって撮像される画像を画像処理してなる写真又は動画を電気通信回線を介して送信する画像送信手段を備え、
前記制御手段は、前記指令入力手段で入力された指令に基づいて、前記画像送信手段を介して、前記鏡像モードの写真又は動画と、前記正像モードの写真又は動画とを切り替えて送信可能であることを特徴とする請求項６又は請求項７に記載の電子鏡。
【考案の詳細な説明】
【技術分野】
【０００１】
本考案は、カメラ一体型の自分撮り機能を備えたテレビジョン受像機、携帯電話機、及び電子鏡に関し、特に、鏡像と正像とを切り替えて表示できるようにしたテレビジョン受像機、携帯電話機、及び電子鏡に関する。
【背景技術】
【０００２】
従来から、カメラによって撮像された画像をモニタ画面上に表示する、いわゆる電子鏡及びこの電子鏡の機能を有するテレビジョン受像機や携帯電話機が種々提案されている。
【０００３】
例えば、特許文献１には、テレビカメラが接続されたテレビ受像機であって、受像管の電子ビームを偏向することで、テレビカメラによる映像信号を左右反転させてテレビ画面に鏡像を表示するテレビ受像機に関する技術が開示されている。
【０００４】
また、表示部と操作部とがヒンジ部により回動可能に連結された折り畳み式のカメラ付き携帯電話機であって、いわゆる自分撮りの状態（撮影者を被写体として表示面がカメラの撮像方向側に向けられた状態）にしたとき、カメラによる映像信号を左右反転させて表示面に鏡像を表示するものが知られている。
【０００５】
また、特許文献２には、ユーザと対向する位置に設けられた画像表示装置と、前記画像表示装置と一体的に設けられ、ユーザを動的に撮影する撮像装置と、前記撮像装置で撮影された画像を前記画像表示装置に左右反転して表示する処理装置とを備えた電子鏡に関する技術が開示されている。
【先行技術文献】
【特許文献】
【０００６】
【特許文献１】特開平７−２８８７１１号公報
【特許文献２】特開２００４−１８００４７号公報
【考案の概要】
【考案が解決しようとする課題】
【０００７】
前述のように、カメラ一体型のテレビジョン受像機、携帯電話機、及び電子鏡で自分撮り機能を備えたものに関しては、カメラによる映像信号を左右反転させてモニタ画面上に鏡像が表示されるようになっている。これは、通常の鏡が、実物とは左右が反転した鏡像が表示され、人々はこの鏡像に慣れているため、モニタ画面上に表示される像を正像にすると、実物の動く方向とモニタ画面上に表示される像の動く方向とが左右逆になり、かえって自分の動きが把握しにくいためと考えられる。
【０００８】
しかしながら、鏡像はあくまでも実像を左右反転させた像であって、自分の容姿が他人からどのように見られるかを正確に把握したい場合には、正像の方が好適である。また、例えば、携帯電話機の写メール（ソフトバンクモバイル株式会社の登録商標）のように、自分撮りした写真や動画を家族や友人等に送信したい場合には、自分撮りしながらも、鏡像ではなく他人がカメラで撮影した正像として送信したいというニーズが存在する。
【０００９】
そこで、本考案が解決しようとする課題は、自分撮りの際に、鏡としての機能を有するとともに、他人から見た自分の容姿を表示等可能なテレビジョン受像機、携帯電話機、及び電子鏡を提供することである。
【課題を解決するための手段】
【００１０】
本考案は、前記課題を解決するためになされたもので、請求項１に記載の考案は、映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えたテレビジョン受像機において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴としている。
【００１１】
請求項１に記載の考案によれば、テレビジョン受像機において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であるので、ユーザは、テレビジョン受像機において、前記指令入力手段を介して、鏡像モードから正像モードに切り替えることにより、自分の容姿が他人からどのように見られるかをリアルタイムに正確に把握することができる。
【００１２】
請求項２に記載の考案は、請求項１において、前記指令入力手段は、鏡像モードと正像モードとの切り替え指令を、リモートコントロール装置による遠隔操作で入力することを特徴としている。
【００１３】
請求項２に記載の考案によれば、請求項１に記載の考案の効果に加えて、テレビから手の届かない場所から遠隔操作によって鏡像モードと正像モードとを切り替えることができるので、テレビジョン受像機において、自分の容姿が他人から遠目にどのように見られるかをリアルタイムに正確に把握することができる。
【００１４】
請求項３に記載の考案は、請求項１又は請求項２において、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であることを特徴としている。
【００１５】
請求項３に記載の考案によれば、請求項１又は請求項２に記載の考案の効果に加えて、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であるので、テレビジョン受像機において、例えばインターネットのような電気通信回線を介して、鏡像で自分撮りした写真や動画及び正像で自分撮りした写真や動画のうち何れかを選択して家族や他人等に送信することができる。
【００１６】
請求項４に記載の考案は、映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えた携帯電話機において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴としている。
【００１７】
請求項４に記載の考案によれば、携帯電話機において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であるので、ユーザは、携帯電話機において、前記指令入力手段を介して、鏡像モードから正像モードに切り替えることにより、自分の容姿が他人からどのように見られるかをリアルタイムに正確に把握することができる。
【００１８】
請求項５に記載の考案は、請求項４において、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であることを特徴としている。
【００１９】
請求項５に記載の考案によれば、請求項４に記載の考案の効果に加えて、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であるので、携帯電話機において、例えばＭＭＳ（Multimedia Messaging Service）やインターネットのような電気通信回線を介して、鏡像で自分撮りした写真や動画及び正像で自分撮りした写真や動画のうち何れかを選択して家族や他人等に送信することができる。
【００２０】
請求項６に記載の考案は、映像信号を出力する映像出力手段と、この映像出力手段の正面の領域を撮像して電気的な画像データを出力する撮像手段と、前記各部を制御する制御手段と、この制御手段に各種の指令を入力する指令入力手段とを備えた電子鏡において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であることを特徴としている。
【００２１】
請求項６に記載の考案によれば、電子鏡において、前記制御手段は、前記指令入力手段で入力された指令に基づいて、前記撮像手段によって撮像される画像を左右反転させて前記映像出力手段にリアルタイムで出力させる鏡像モードと、前記撮像手段によって撮像される画像をそのまま前記映像出力手段にリアルタイムで出力させる正像モードとを切り替え可能であるので、ユーザは、電子鏡において、前記指令入力手段を介して、鏡像モードから正像モードに切り替えることにより、自分の容姿が他人からどのように見られるかをリアルタイムに正確に把握することができる。
【００２２】
請求項７に記載の考案は、請求項６において、前記指令入力手段は、鏡像モードと正像モードとの切り替え指令を、リモートコントロール装置による遠隔操作で入力することを特徴としている。
【００２３】
請求項７に記載の考案によれば、請求項６に記載の考案の効果に加えて、電子鏡から手の届かない場所から遠隔操作によって鏡像モードと正像モードとを切り替えることができるので、電子鏡において、自分の容姿が他人から遠目にどのように見られるかをリアルタイムに正確に把握することができる。
【００２４】
請求項８に記載の考案は、請求項６又は請求項７において、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であることを特徴としている。
【００２５】
請求項８に記載の考案によれば、請求項６又は請求項７に記載の考案の効果に加えて、前記撮像手段によって撮像される画像を画像処理してなる写真又は動画を電気通信回線を介して送信する画像送信手段を備え、前記制御手段は、前記指令入力手段で入力された指令に基づいて、前記画像送信手段を介して、前記鏡像モードの写真又は動画と、前記正像モードの写真又は動画とを切り替えて送信可能であるので、電子鏡において、例えばインターネットのような電気通信回線を介して、鏡像で自分撮りした写真や動画及び正像で自分撮りした写真や動画のうち何れかを選択して家族や他人等に送信することができる。
【考案の効果】
【００２６】
本考案によれば、自分撮りの際に、鏡としての機能を有するとともに、他人から見た自分の容姿を表示等可能なテレビジョン受像機、携帯電話機、及び電子鏡を提供することができる。
【図面の簡単な説明】
【００２７】
【図１】本考案の実施例１に係るテレビジョン受像機を示す模式図である。
【図２】本考案の実施例１に係るテレビジョン受像機の構成を示すブロック図である。
【図３】本考案の実施例１に係るテレビジョン受像機に正像モードで表示される様子を示す模式図である。
【図４】本考案の実施例１に係るテレビジョン受像機が電子鏡モードにあるときの動作を示すフローチャートである。
【図５】本考案の実施例２に係る携帯電話機を示す模式図である。
【図６】本考案の実施例２に係る携帯電話機の構成を示すブロック図である。
【図７】本考案の実施例２に係る携帯電話機が電子鏡モードにあるときの動作を示すフローチャートである。
【図８】本考案の実施例３に係る電子鏡を示す模式図である。
【図９】本考案の実施例３に係る電子鏡の構成を示すブロック図である。
【図１０】本考案の実施例３に係る電子鏡の動作を示すフローチャートである。
【考案を実施するための形態】
【００２８】
以下、本考案を適用した具体的な実施の形態について、図面を参照しながら詳細に説明する。本考案は、例えば図１，図５，図８に示すような構成のテレビジョン受像機１，携帯電話機５１，電子鏡１０１に適用される。
【実施例１】
【００２９】
先ず、図１及び図２を参照して、実施例１であるテレビジョン受像機１の構成について説明する。テレビジョン受像機１は、テレビジョン放送信号を受信するチューナ２と、チューナ２によって受信された放送信号を復調するデコーダ３と、デコーダ３によって復調された放送信号を映像信号及び音声信号に分離する映像音声信号処理部４と、映像音声信号処理部４によって分離された映像信号及び映像信号を出力するモニタ画面５（映像出力手段）やスピーカを備えた音声出力部６と、モニタ画面５の正面の領域を撮像して電気的な画像データに変換して出力するＣＣＤ等の撮像素子を用いたカメラ７（撮像手段）と、カメラ７によって撮像された画像データを記憶するメモリ８と、通信処理を行う通信処理部９と、前記各部を制御するＣＰＵ等の制御部１０（制御手段）と、ユーザが各種の指令を入力するためのリモコン装置（指令入力手段）１１ａと、リモコン装置１１ａから送信された赤外線信号を受信する赤外線受信部１１ｂとを主要部として備えている。
【００３０】
テレビジョン受像機１は、カメラ７によって撮像された画像をモニタ画面５上に表示させる、いわゆる電子鏡機能を備えている。この電子鏡機能は、例えば、ユーザがリモコン装置１１に設けられている特定の操作ボタンを押下して、テレビジョン受像機１の動作モードを電子鏡モードに移行させることにより有効になる。
【００３１】
この電子鏡モードにおいては、制御部１０は、リモコン装置１１に設けられている特定の操作ボタンが押下されたかどうかを判断し、鏡像モードと判断した場合にはカメラ７によって撮像された画像データを左右反転させてモニタ画面５に表示させる鏡像をリアルタイムで表示し、正像モードと判断した場合にはリアルタイムでそのまま表示するように制御する。これにより、あたかも実際の鏡に写っているかのような画像がモニタ画面５から出力される鏡像モードと、図３に示すように、他人から見た自分の容姿の画像がモニタ画面５から出力される正像モードとを切り替えることができる。
【００３２】
通信処理部９は、インターネット１２を介してサーバ１３に接続されており、常時又は必要に応じて適宜インターネット１２に接続して、メモリ８に記憶させた正像モードの画像データをサーバ１３にアップロードする。ユーザは、手持ちの携帯電話機又はパーソナルコンピュータを用いてインターネット１２を介してサーバ１３にアクセスすることにより、アップロードされた画像、すなわちテレビジョン受像機１が設置されている部屋の様子を確認することができる。
【００３３】
また、サーバ１３が、他人がダウンロード可能なサーバである場合、ユーザは、正像モード及び鏡像モードのうち何れかを選択して撮影し、自分撮りした画像等を通信処理部９を介してサーバ１３にアップロードする。そして、送信先では、パーソナルコンピュータからインターネット１２を介してサーバ１３にアクセスすることにより、自分撮りした画像等がその他人のパーソナルコンピュータに送信される。携帯電話機に送信する場合、サーバ１３にアップロードされた自分撮りした画像等が、携帯メールサーバを介してその他人の携帯電話機に送信される。
【００３４】
次に、テレビジョン受像機１が電子鏡モードにあるときの動作について、図４に示すフローチャートを参照して説明する。
【００３５】
ステップＳＴ１では、テレビジョン受像機１が電子鏡モードに移行すると、先ずカメラ７でテレビジョン受像機１の正面に位置する被写体を撮像する。
【００３６】
ステップＳＴ２では、制御部１０が、カメラ７が撮像した画像を左右反転させて、モニタ画面５上に表示させる。ここで、ユーザは、電子鏡モードに移行した時点で表示されるモードを予め設定することもできる。ステップＳＴ２において、ユーザが予め正像モードに設定していた場合には、制御部１０は、カメラ７によって撮像された画像データをそのまま（左右反転させない）モニタ画面５に表示させる。
【００３７】
ステップＳＴ３では、制御部１０が、リモコン装置１１に設けられている特定の操作ボタンが押下されたかどうかを判断し、鏡像モードが選択されたと判断した場合にはカメラ７によって撮像された画像データを左右反転させてモニタ画面５に表示させる。一方、ステップＳＴ３において、制御部１０が、正像モードが選択されたと判断した場合にはカメラ７によって撮像された画像データをそのまま（左右反転させない）モニタ画面５に表示させる。
【００３８】
ステップＳＴ４では、制御部１０が、リモコン装置１１に設けられている特定の操作ボタンが押下されたかどうかを判断し、送信が選択されたと判断した場合には、通信処理部９を介して、撮像されているモードの画像等をリモコン装置１１によって入力された送信先へ送信する。
【００３９】
ステップＳＴ５では、制御部１０が、リモコン装置１１に設けられている特定の操作ボタンが押下（電子鏡モードを終了させる入力）されたことを判断した場合、電子鏡モードの処理を終了し、例えばテレビジョン受像モードに切り替える。一方、電子鏡モードを終了させる入力がない場合には、ステップＳＴ３からステップＳＴ５までを順次繰り返し、電子鏡モードを継続する。
【００４０】
以上のように、本考案に係るテレビジョン受像機１によれば、ユーザは、リモコン装置１１を介して、鏡像モードから正像モードに切り替えることにより、自分の容姿が他人からどのように見られるかをリアルタイムに正確に把握することができる。
【００４１】
また、制御部１０は、リモコン装置１１で入力された指令に基づいて、通信処理部９を介して、鏡像モードの画像等と、正像モードの画像等とを切り替えて送信可能であるので、テレビジョン受像機において、インターネット１２を介して、鏡像で自分撮りした写真や動画及び正像で自分撮りした写真や動画のうち何れかを選択して家族や他人等に送信することができる。
【実施例２】
【００４２】
続いて、図５及び図６を参照して、実施例２である携帯電話機５１の構成について説明する。携帯電話機５１は、映像信号を出力するモニタ画面５５（映像出力手段）と、モニタ画面５５の正面の領域を撮像して電気的な画像データに変換して出力するＣＣＤ等の撮像素子を用いたカメラ５７（撮像手段）と、カメラ５７によって撮像された画像データを記憶するメモリ５８と、通信処理を行う通信処理部５９と、前記各部を制御するＣＰＵ等の制御部６０（制御手段）と、ユーザが各種の指令を入力するための操作部６１とを主要部として備えている。
【００４３】
携帯電話機５１は、カメラ５７によって撮像された画像をモニタ画面５５上に表示させる、いわゆる電子鏡機能を備えている。この電子鏡機能は、例えば、ユーザが操作部６１に設けられている特定の操作ボタンを押下して、携帯電話機５１の動作モードを電子鏡モードに移行させることにより有効になる。
【００４４】
この電子鏡モードにおいては、制御部６０は、操作部６１に設けられている特定の操作ボタンが押下されたかどうかを判断し、鏡像モードと判断した場合にはカメラ５７によって撮像された画像データを左右反転させてモニタ画面５５に表示させる鏡像をリアルタイムで表示し、正像モードと判断した場合にはリアルタイムでそのまま表示するように制御する。これにより、あたかも実際の鏡に写っているかのような画像がモニタ画面５５から出力される鏡像モードと、他人から見た自分の容姿の画像がモニタ画面５５から出力される正像モードとを切り替えることができる。
【００４５】
通信処理部５９は、携帯電話機の事業者が提供する携帯メールサーバ６３に独自プロトコルで接続され、更に、インターネット６４を介してサーバ６５に接続されている。他の事業者の携帯電話機やパーソナルコンピュータに自分撮りした画像等を送信する場合、ユーザは、正像モード及び鏡像モードのうち何れかを選択して撮影し、自分撮りした画像等を通信処理部５９を介してサーバ６５にアップロードする。
【００４６】
そして、送信先では、パーソナルコンピュータからインターネット６４を介してサーバ６５にアクセスすることにより、自分撮りした画像等がそのパーソナルコンピュータに送信される。他の事業者の携帯電話機に送信する場合、サーバ６５にアップロードされた自分撮りした画像等が、他の事業者の携帯メールサーバを介してその携帯電話機に送信される。送信元と送信先とで携帯電話機の事業者が同じ場合、携帯メールサーバ６３を介して自分撮りした画像等が送信先の携帯電話機に送信される。
【００４７】
次に、携帯電話機５１が電子鏡モードにあるときの動作について、図７に示すフローチャートを参照して説明する。
【００４８】
ステップＳＴ１１では、携帯電話機５１が電子鏡モードに移行すると、先ずカメラ５７で携帯電話機５１の正面に位置する被写体を撮像する。
【００４９】
ステップＳＴ１２では、制御部６０が、カメラ５７が撮像した画像を左右反転させて、モニタ画面５５上に表示させる。ここで、ユーザは、電子鏡モードに移行した時点で表示されるモードを予め設定することもできる。ステップＳＴ２において、ユーザが予め正像モードに設定していた場合には、制御部６０は、カメラ５７によって撮像された画像データをそのまま（左右反転させない）モニタ画面５５に表示させる。
【００５０】
ステップＳＴ１３では、制御部６０が、操作部６１に設けられている特定の操作ボタンが押下されたかどうかを判断し、鏡像モードが選択されたと判断した場合にはカメラ５７によって撮像された画像データを左右反転させてモニタ画面５５に表示させる。一方、ステップＳＴ３において、制御部１０が、正像モードが選択されたと判断した場合にはカメラ５７によって撮像された画像データをそのまま（左右反転させない）モニタ画面５５に表示させる。
【００５１】
ステップＳＴ１４では、制御部６０が、操作部６１に設けられている特定の操作ボタンが押下されたかどうかを判断し、送信が選択されたと判断した場合には、通信処理部５９を介して、撮像されているモードの画像等を操作部６１によって入力された送信先へ送信する。
【００５２】
ステップＳＴ１５では、制御部６０が、操作部６１に設けられている特定の操作ボタンが押下（電子鏡モードを終了させる入力）されたことを判断した場合、電子鏡モードの処理を終了する。一方、電子鏡モードを終了させる入力がない場合には、ステップＳＴ１３からステップＳＴ１５までを順次繰り返し、電子鏡モードを継続する。
【００５３】
以上のように、本考案に係る携帯電話機５１によれば、ユーザは、操作部６１を介して、鏡像モードから正像モードに切り替えることにより、自分の容姿が他人からどのように見られるかをリアルタイムに正確に把握することができる。
【００５４】
また、制御部１０は、操作部６１で入力された指令に基づいて、通信処理部５９を介して、鏡像モードの画像等と、正像モードの画像等とを切り替えて送信可能であるので、携帯電話機において、例えばＭＭＳ（Multimedia Messaging Service）やインターネットのような電気通信回線を介して、鏡像で自分撮りした写真や動画及び正像で自分撮りした写真や動画のうち何れかを選択して家族や他人等に送信することができる。
【実施例３】
【００５５】
先ず、図８及び図９を参照して、実施例３である電子鏡１０１の構成について説明する。電子鏡１０１は、映像信号を出力するモニタ画面１０５（映像出力手段）と、モニタ画面１０５の正面の領域を撮像して電気的な画像データに変換して出力するＣＣＤ等の撮像素子を用いたカメラ１０７（撮像手段）と、カメラ１０７によって撮像された画像データを記憶するメモリ１０８と、通信処理を行う通信処理部１０９と、前記各部を制御するＣＰＵ等の制御部１１０（制御手段）と、ユーザが各種の指令を入力するためのリモコン装置（指令入力手段）１１１ａと、リモコン装置１１１ａから送信された赤外線信号を受信する赤外線受信部１１１ｂとを主要部として備えている。
【００５６】
電子鏡１０１は、カメラ１０７によって撮像された画像をモニタ画面１０５上に表示させる、いわゆる電子鏡機能を備えている。
【００５７】
この電子鏡１０１において、制御部１１０は、リモコン装置１１１に設けられている特定の操作ボタンが押下されたかどうかを判断し、鏡像モードと判断した場合にはカメラ１０７によって撮像された画像データを左右反転させてモニタ画面１０５に表示させる鏡像をリアルタイムで表示し、正像モードと判断した場合にはリアルタイムでそのまま表示するように制御する。これにより、あたかも実際の鏡に写っているかのような画像がモニタ画面１０５から出力される鏡像モードと、他人から見た自分の容姿の画像がモニタ画面１０５から出力される正像モードとを切り替えることができる。
【００５８】
通信処理部１０９は、インターネット１１２を介してサーバ１１３に接続されており、常時又は必要に応じて適宜インターネット１１２に接続して、メモリ１０８に記憶させた正像モードの画像データをサーバ１１３にアップロードする。ユーザは、手持ちの携帯電話機又はパーソナルコンピュータを用いてインターネット１１２を介してサーバ１１３にアクセスすることにより、アップロードされた画像、すなわち電子鏡１０１が設置されている部屋の様子を確認することができる。
【００５９】
また、サーバ１１３が、他人がダウンロード可能なサーバである場合、ユーザは、正像モード及び鏡像モードのうち何れかを選択して撮影し、自分撮りした画像等を通信処理部１０９を介してサーバ１１３にアップロードする。そして、送信先では、パーソナルコンピュータからインターネット１１２を介してサーバ１１３にアクセスすることにより、自分撮りした画像等がその他人のパーソナルコンピュータに送信される。携帯電話機に送信する場合、サーバ１１３にアップロードされた自分撮りした画像等が、携帯メールサーバを介してその他人の携帯電話機に送信される。
【００６０】
次に、電子鏡１０１の動作について、図１０に示すフローチャートを参照して説明する。
【００６１】
ステップＳＴ２１では、先ずカメラ１０７で電子鏡１０１の正面に位置する被写体の撮像を開始する。
【００６２】
ステップＳＴ２２では、制御部１１０が、カメラ１０７が撮像した画像を左右反転させて、モニタ画面１０５上に表示させる。ここで、ユーザは、電子鏡モードに移行した時点で表示されるモードを予め設定することもできる。ステップＳＴ２２において、ユーザが予め正像モードに設定していた場合には、制御部１１０は、カメラ１０７によって撮像された画像データをそのまま（左右反転させない）モニタ画面１０５に表示させる。
【００６３】
ステップＳＴ２３では、制御部１１０が、リモコン装置１１１に設けられている特定の操作ボタンが押下されたかどうかを判断し、鏡像モードが選択されたと判断した場合にはカメラ１０７によって撮像された画像データを左右反転させてモニタ画面１０５に表示させる。一方、ステップＳＴ２３において、制御部１１０が、正像モードが選択されたと判断した場合にはカメラ１０７によって撮像された画像データをそのまま（左右反転させない）モニタ画面１０５に表示させる。
【００６４】
ステップＳＴ２４では、制御部１１０が、リモコン装置１１１に設けられている特定の操作ボタンが押下されたかどうかを判断し、送信が選択されたと判断した場合には、通信処理部１０９を介して、撮像されているモードの画像等をリモコン装置１１１によって入力された送信先へ送信する。
ステップＳＴ２５では、電源がＯＦＦにされない限り、ステップＳＴ２３からステップＳＴ２５までを順次繰り返す。
【００６５】
以上のように、本考案に係る電子鏡１０１によれば、ユーザは、リモコン装置１１１を介して、鏡像モードから正像モードに切り替えることにより、自分の容姿が他人からどのように見られるかをリアルタイムに正確に把握することができる。
【００６６】
また、制御部１１０は、リモコン装置１１１で入力された指令に基づいて、通信処理部１０９を介して、鏡像モードの画像等と、正像モードの画像等とを切り替えて送信可能であるので、電子鏡において、インターネット１１２を介して、鏡像で自分撮りした写真や動画及び正像で自分撮りした写真や動画のうち何れかを選択して家族や他人等に送信することができる。
【００６７】
なお、本考案は前述した実施の形態のみに限定されるものではなく、本考案の要旨を逸脱しない範囲において種々の変更が可能であることは勿論である。例えば、本考案に係る他の実施の形態として、テレビジョン受像機１，携帯電話機５１，電子鏡１０１は、カレンダー表示機能を備えており、日付毎に正像での自分撮り画像等を保存・閲覧可能であるように構成してもよい。
【符号の説明】
【００６８】
１  テレビジョン受像機
２  チューナ
３  デコーダ
４  映像音声信号処理部
５，５５，１０５  モニタ画面
６  音声出力部
７，５７，１０７  カメラ
８，５８，１０８  メモリ
９，５９，１０９  通信処理部
１０，６０，１１０  制御部
１１，１１１  リモコン装置
１１ａ，６１ａ，１１１ａ  リモコン装置
１１ｂ，６１ｂ，１１１ｂ  赤外線受信部
１２，６４，１１２  インターネット
１３，６５，１１３  サーバ
５１  携帯電話機
６１  操作部
６３  携帯メールサーバ
１０１  電子鏡
【図１】
0003154529.tif 000003
【図２】
0003154529.tif 000004
【図３】
0003154529.tif 000005
【図４】
0003154529.tif 000006
【図５】
0003154529.tif 000007
【図６】
0003154529.tif 000008
【図７】
0003154529.tif 000009
【図８】
0003154529.tif 000010
【図９】
0003154529.tif 000011
【図１０】
0003154529.tif 000012